【事件の表示】
　特願２００６−１１５１６０「圧力検出装置」拒絶査定不服審判事件〔平成１９年１１月　１日出願公開、特開２００７−２８５９５１〕について、次のとおり審決する。
【結　論】
　本件審判の請求は、成り立たない。
【理　由】
第１．手続の経緯
　本願は、平成１８年４月１９日の出願であって、同年８月２４日付けで拒絶理由（同年８月２９日発送）が通知され、同年１０月２４日付けで特許請求の範囲，明細書又は図面についての手続補正がなされ、同年１１月２１日付けで拒絶査定（同年１１月２８日発送）がなされ、これに対し、同年１２月２８日に拒絶査定不服審判が請求されるとともに、平成１９年１月１８日付けで特許請求の範囲，明細書又は図面についての手続補正（以下「本件補正」という。）がなされたものである。
　
　
第２．本件補正についての補正却下の決定
〔補正却下の決定の結論〕
　本件補正を却下する。
　
　
〔理　由〕
１．本件補正の内容，本件補正の目的及び本件補正後の発明
　本件補正は、特許請求の範囲を、補正前の
　
「【請求項１】
　液体中に浮遊して、該液体を貯留した密閉容器内の圧力を検出する圧力検出装置において、
　可撓性のある膜で形成された外殻を有するとともに、その内部に気体が封入されて、該外殻と接する上記液体の圧力に応じて容積が変化する可変容積部と、
　該可変容積部の上面より上方に設けられて、接触することにより上記液体を検出する接触検出部とを備え、
　重心が下方に設定されることにより立直、乃至、略立直姿勢を保ちつつ、
　上記容器内の圧力に伴って該液体中で浮沈するよう構成されていることを特徴とする圧力検出装置。
【請求項２】
　上記可変容積部が、該可変容積部内に封入される気体の量を調整できる気体調整部を備えることを特徴とする請求項１記載の圧力検出装置。
【請求項３】
　上記可変容積部の重心が下方に位置するように形成されるとともに、該可変容積部から上方に延びる支柱を備え、上記接触検出部が該支柱に設けられていることを特徴とする請求項１または２記載の圧力検出装置。
【請求項４】
　上記接触検出部が、上方に設けられた第一接触検出部と、該第一接触検出部よりも下方に設けられた第二接触検出部とを備え、該第一接触検出部と第二接触検出部とが、上記容器内の圧力が予め設定した基準圧力となる場合において、該液体の液面が上記第一接触検出部と第二接触検出部との間に位置するように構成されており、
　該第一接触検出部と上記第二接触検出部とが、上記容器内の圧力が上記基準圧力に対して変化するのに伴って上記液体の液面に対して浮沈することを特徴とする請求項１〜３のいずれかに記載の圧力検出装置。」
　
から、
　
「【請求項１】
　液体中に浮遊して、該液体を貯留した密閉容器内の圧力を検出する圧力検出装置において、
　可撓性のある膜で形成された外殻を有するとともに、その内部に気体が封入されて、該外殻と接する上記液体の圧力に応じて容積が変化する可変容積部と、
　該可変容積部の上面より上方に設けられて、接触することにより上記液体を検出する接触検出部とを備え、
　重心が下方に設定されることにより立直、乃至、略立直姿勢を保ちつつ、上記容器内の圧力に伴って該液体中で浮沈するよう構成されており、
　上記接触検出部が、上方に設けられた第一接触検出部と、該第一接触検出部よりも下方に設けられた第二接触検出部とを有し、
　該第一接触検出部と第二接触検出部とが、上記容器内の圧力が予め設定した基準圧力となる場合において、該容器内の液体の液面が上記第一接触検出部と第二接触検出部との間に位置するように構成されるとともに、
　該第一接触検出部と第二接触検出部とが、上記容器内の圧力が変化したときに上記可変容積部の容積変化に伴う浮力の変化により上下動して、上記容器内の圧力が上記基準圧力よりも予め設定された第一所定値以上高くなった場合には上記第一接触検出部が液面より下に沈む一方、上記容器内の圧力が上記基準圧力よりも予め設定された第二所定値以上低くなった場合には上記第二接触検出部が液面より上に浮くように、配置されていることを特徴とする圧力検出装置。」
　
と補正する補正事項を含むものであり、該補正事項は以下（１）乃至（６）の補正要素から成る。
　
　（１）補正前の引用形式の請求項４の引用請求項１乃至３を請求項１のみに限定した上で独立形式に改めて補正後の請求項１とした点。
　（２）補正前の請求項４の「第二接触検出部とを備え」を、補正後の請求項１では「第二接触検出部とを有し」と変更した点。
　（３）補正前の請求項４の「該液体の液面が」を、補正後の請求項１では「該容器内の液体の液面が」と変更した点。
　（４）補正前の請求項４の「構成されており」を、補正後の請求項１では「構成されるとともに」と変更した点。
　（５）補正前の請求項４の「上記第二接触検出部とが」を、補正後の請求項１では「第二接触検出部とが」と変更した点。
　（６）補正前の請求項４の「第一接触検出部と」「第二接触検出部とが、容器内の圧力が」「基準圧力に対して変化するのに伴って」「液体の液面に対して浮沈する」を、補正後の請求項１では「第一接触検出部と第二接触検出部とが、」「容器内の圧力が変化したときに」「可変容積部の容積変化に伴う浮力の変化により上下動して、」「容器内の圧力が」「基準圧力よりも予め設定された第一所定値以上高くなった場合には」「第一接触検出部が液面より下に沈む一方、」「容器内の圧力が」「基準圧力よりも予め設定された第二所定値以上低くなった場合には」「第二接触検出部が液面より上に浮くように、配置されている」と変更した点。
　
　以下、上記（１）乃至（６）の補正要素について順次検討する。
　まず、（１）は択一的記載の要素の一部の削除であるから、限定的な減縮に該当する。
　また、（２），（４），（５）は内容の実質的な変更を伴うものではない。
　また、（３）は請求項１に係る発明を特定するために必要な事項である、「該液体の液面が」について「該容器内の液体の液面が」と限定するものであるから、限定的な減縮に該当する。
　また、（６）について、補正前の「液体の液面に対して浮沈」と補正後の「上下動」の技術的意味は実質的に等しいものといえ、また、補正後においても容器内の圧力の変化が基準圧力に対する変化であることは明らかであり、更に、補正前においても第一接触検出部と第二接触検出部とが配置されていることは明らかである。
　よって、（６）は請求項１に係る発明を特定するために必要な事項である、『第一接触検出部と第二接触検出部とが、容器内の圧力が基準圧力に対して変化するのに伴って上下動するように配置されている』について、『第一接触検出部と第二接触検出部とが、容器内の圧力が基準圧力に対して変化するのに伴って可変容積部の容積変化に伴う浮力の変化により上下動して、容器内の圧力が基準圧力よりも予め設定された第一所定値以上高くなった場合には第一接触検出部が液面より下に沈む一方、容器内の圧力が基準圧力よりも予め設定された第二所定値以上低くなった場合には第二接触検出部が液面より上に浮くように、配置されている』と限定するものであるから、限定的な減縮に該当する。
　したがって、上記（１）乃至（６）の補正要素，すなわち上記補正事項は、平成１８年法律第５５号改正附則第３条第１項によりなお従前の例によるとされる同法による改正前の特許法第１７条の２第４項第２号の特許請求の範囲の減縮を目的とするものに該当する。
　
　そこで、本件補正後の請求項１に記載されている事項により特定される発明（以下「本願補正発明」という。）が特許出願の際独立して特許を受けることができるものであるかについて以下に検討する。
　
　
２．引用例の記載事項及び引用例に記載された発明
　原査定の拒絶の理由において引用された、本願の出願前に頒布された刊行物である特開平３−３９６２５号公報（以下「引用例」という。）には、以下の（ア）乃至（カ）の事項が図面とともに記載されている。
　
　（ア）「産業上の利用分野
　本発明は圧力および温度を計測するについてのもので、従来のものより著しく測定精度を上げるとともに、その誤差の自己検定をも簡易にして保証精度を確保し、圧力または温度スウィッチによる自動制御を容易にして且つ製作コストも低減し、機器内部がクリーンなもので、従来のものでは拡大機構のロスの影響の大きい微圧計等、半導体製作工場等の計器には不可欠で、その利用範囲は広い。」
（１頁左下欄１１〜２０行）
　（イ）「実施例
　以下本発明の実施例を示すと全部もしくは必要部を透明ガラスの試験管状の容器１の上部に被計測圧力気体を接続しうる管継手用ネジ部を設けホース３を接続出来るようにしている。容器１には適正量の液体４を注入し液体４に予め適正圧で圧縮したガス５を封入した外郭ゴム質の球体６を陥没浮遊させるための調整錘７と沈み過ぎを防止する適正径の円筒状浮き子棒８をそれぞれ球体６の下部と上部にとりつける。浮き子棒８はその上端を液面より突出し球体６は液面下に陥没浮遊している状態に調整錘７の質量を調整するものとする。いまこの状態から容器ｌの上部の管継手用ネジ部２に被計測圧力気体のホース３を接続すると液面上のガス圧Ｐによる増加圧で球体６は圧縮されて体積が減少し、これにかかる浮力は減少し、球体６は初期浮遊位置より沈み、球体６にとりつけた浮き子棒８がなければ液のヘッド高さＨがまして更に球体６が収縮して浮力を減少し容器１の底まで沈み続ける。これを防ぐため設けた球体６の浮き子棒８は球体６の下降にしたがって液面下の体積が増加しその排除する液体の質量が浮力となって球体６の浮力の減少分と相殺して釣り合うところで沈みがとまる。これを目盛りとして浮き子棒上に目盛ればＰを読み取ることができる。容器ｌには垂直に設定するための吊り下げ環９と重錘１０を設け圧力スイッチ作動の機構として近接接点Ｋを容器ｌの外部に設けたものを示している。」
（２頁左下欄４行〜右下欄１５行）
　（ウ）「特許請求の範囲
　外殻ゴム状の球体に適正圧で気体を封入し、排除する液体質量と球体質量を釣り合うよう球体に適正錘を付着調整した上これを液体内で浮遊させ、その浮遊上下位置で液体上面にかかる気体圧または液温を計測するようにした浮力の増減によるセンサー。」
（１頁左上欄３〜９行）
　（エ）「問題点を解決するための手段
　本発明は抜本的に従来の金属歪みを用いずに、気体の体積変動を媒体として計測するで、これが浮力をはかるため球体ゴムを用いこれを液体内に陥没して液体圧による体積変動による浮遊位置を観測するが、連続的に計るためには球体に円筒状浮き棒を垂直に取り付けて液面より突出させ、浮沈による球体の排除液質量の増減を円筒状浮き棒の排除する液質量の減増と釣り合ったところの位置で計測し、目盛りを円筒外面に示すようにし更に液体比重の選定、ゴム質と肉厚、内部気体の種類等を適正にしたものである。」
（２頁左上欄３〜１４行）
　（オ）図面の第１，２図には、『円筒状浮き子棒８の円筒外面には目盛りが示されており、該目盛りは液体４のある液面位置に対して上下両方向にわたって示されている。』事項が記載されている。
　（カ）図面の第１，２図には、『容器１内において、調整錘７，球体６，円筒状浮き子棒８が、下からこの順番で立直した姿勢で浮遊する』事項が記載されている。
　
　（１−１）上記（ア）の「本発明は圧力…を計測するについてのもので、…、自動制御を容易にして…、…微圧計等、…計器には不可欠で、その利用範囲は広い。」という記載から、『自動制御を容易にした圧力計測計器』である点が認定できる。
　（１−２）上記（イ）の「陥没浮遊」という記載、及び上記（ウ）の「液体内で浮遊させ」という記載から、『液体内に浮遊している』点が認定できる。
　（１−３）上記（イ）の「容器１には適正量の液体４を注入し…。」，「…液面上のガス圧Ｐによる増加圧で…。」，及び「これを目盛りとして浮き子棒上に目盛ればＰを読み取ることができる。」という記載から、『液体を注入した容器内の液面上のガス圧Ｐを読み取る』点が認定できる。
　（１−４）上記（１−１）乃至（１−３）の認定事項から、引用例のものは『液体内に浮遊して、液体を注入した容器内の液面上のガス圧Ｐを読み取る、自動制御を容易にした圧力計測計器』における発明であると認められる。
　（２−１）上記（ウ）の「外殻ゴム状の球体に適正圧で気体を封入し、…。」という記載から、『球体が外殻ゴム状であって、適正圧で気体が封入される』点が認定できる。
　（２−２）上記（イ）の「…液面上のガス圧Ｐによる増加圧で球体６は圧縮されて体積が減少し、これにかかる浮力は減少し、球体６は初期浮遊位置より沈み、…。」という記載から、『液面上のガス圧Ｐによる増加圧で球体は圧縮されて体積が減少し浮力も減少し、球体は初期浮遊位置より沈む』点が認定できる。
　（２−３）上記（２−１），（２−２）の認定事項から、引用例のものは『外殻ゴム状であって、適正圧で気体を封入する、液面上のガス圧Ｐによる増加圧で圧縮されて体積が減少し浮力も減少し、初期浮遊位置より沈む球体』を具備するものと認められる。
　（３−１）上記（イ）の「…球体６を陥没浮遊させるための調整錘７と沈み過ぎを防止する適正径の円筒状浮き子棒８をそれぞれ球体６の下部と上部にとりつける。浮き子棒８はその上端を液面より突出し球体６は液面下に陥没浮遊している状態に調整錘７の質量を調整するものとする。」という記載から、『球体を陥没浮遊させるための調整錘は球体の下部にとりつけられる』点と『球体の沈み過ぎを防止する適正径の円筒状浮き子棒は球体の上部にとりつけられる』点と『調整錘の質量を調整することによって、円筒状浮き子棒はその上端を液面より突出し球体は液面下に陥没浮遊している状態を維持する』点が認定できる。
　（３−２）上記（エ）の「…目盛りを円筒外面に示すようにし…。」、及び上記（イ）の「これを目盛りとして浮き子棒上に目盛れば…。」という記載から、『円筒状浮き子棒の円筒外面には目盛りが示されている』点が認定できる。
　（３−３）上記（イ）の「…液面上のガス圧Ｐによる増加圧で球体６は圧縮されて体積が減少し、これにかかる浮力は減少し、球体６は初期浮遊位置より沈み、球体６にとりつけた浮き子棒８がなければ液のヘッド高さＨがまして更に球体６が収縮して浮力を減少し容器１の底まで沈み続ける。これを防ぐため設けた球体６の浮き子棒８は球体６の下降にしたがって液面下の体積が増加しその排除する液体の質量が浮力となって球体６の浮力の減少分と相殺して釣り合うところで沈みがとまる。これを目盛りとして浮き子棒上に目盛ればＰを読み取ることができる。」及び上記（ウ）の「…球体…を液体内で浮遊させ、その浮遊上下位置で液体上面にかかる気体圧…を計測する」という記載から、『液面上のガス圧Ｐによる増加圧で球体は圧縮されて体積が減少し浮力も減少し球体は初期浮遊位置より沈むが、円筒状浮き子棒の浮力が球体の浮力の減少分と相殺して釣り合うところで沈みがとまり、この時の浮遊上下位置を目盛りから読み取ることによって液体上面にかかる気体圧Ｐを計測する』点が認定できる。
　（３−４）上記（３−１）乃至（３−３）の認定事項，及び上記（オ），（カ）の記載事項から、引用例のものは『球体を陥没浮遊させるための球体の下部にとりつけられる調整錘と、球体の沈み過ぎを防止する球体の上部にとりつけられる適正径の円筒状浮き子棒とを備え、容器内において、調整錘，球体，円筒状浮き子棒が、下からこの順番で立直した姿勢で浮遊し、調整錘の質量を調整することによって、円筒状浮き子棒はその上端を液面より突出し球体は液面下に陥没浮遊している状態を維持し、円筒状浮き子棒の円筒外面には液体のある液面位置に対して上下両方向にわたって示されている目盛りが示されており、液面上のガス圧Ｐによる増加圧で球体は圧縮されて体積が減少し浮力も減少し球体は初期浮遊位置より沈むが、円筒状浮き子棒の浮力が球体の浮力の減少分と相殺して釣り合うところで沈みがとまり、この時の浮遊上下位置を目盛りから読み取ることによって液体上面にかかる気体圧Ｐを計測する』構成を具備するものと認められる。
　
　以上から引用例には、
『液体内に浮遊して、液体を注入した容器内の液面上のガス圧Ｐを読み取る、自動制御を容易にした圧力計測計器において、
　外殻ゴム状であって、適正圧で気体を封入する、液面上のガス圧Ｐによる増加圧で圧縮されて体積が減少し浮力も減少し、初期浮遊位置より沈む球体と、
　球体を陥没浮遊させるための球体の下部にとりつけられる調整錘と、
　球体の沈み過ぎを防止する球体の上部にとりつけられる適正径の円筒状浮き子棒とを備え、
　容器内において、調整錘，球体，円筒状浮き子棒が、下からこの順番で立直した姿勢で浮遊し、調整錘の質量を調整することによって、円筒状浮き子棒はその上端を液面より突出し球体は液面下に陥没浮遊している状態を維持し、
　円筒状浮き子棒の円筒外面には液体のある液面位置に対して上下両方向にわたって示されている目盛りが示されており、液面上のガス圧Ｐによる増加圧で球体は圧縮されて体積が減少し浮力も減少し球体は初期浮遊位置より沈むが、円筒状浮き子棒の浮力が球体の浮力の減少分と相殺して釣り合うところで沈みがとまり、この時の浮遊上下位置を目盛りから読み取ることによって液体上面にかかる気体圧Ｐを計測する、圧力計測計器。』
（以下「引用発明」という。）が記載されたものと認められる。
　
　
３．対比
　（１）まず、引用発明の「液体内」，「液面上のガス圧Ｐ」，「読み取る」，「圧力計測計器」，「体積」，「減少」，「球体」は、
それぞれ本願補正発明の「液体中」，「圧力」，「検出」，「圧力検出装置」，「容積」，「変化」，「可変容積部」に相当する。
　（２）次に、引用発明は「容器内の液面上のガス圧Ｐ」を検出するものであるが、容器内のガスが容器外の大気と自由に連通することを許せば、「容器内の液面上のガス圧Ｐ」の検出に支障を生じることは明らかであるから、「容器」はこれを許さない構造，すなわち密閉構造を有しているものといえる。
　よって、引用発明の「容器」は、本願補正発明の「密閉容器」に相当する。
　（３）また、引用発明の「液体を注入した」容器は、容器内に液体を注入したことによって液体を貯留するものといえる。
　よって、引用発明の「液体を注入した」は、本願補正発明の「液体を貯留した」に相当する。
　（４）また、引用発明の「球体」は「外殻ゴム状」であるが、一般に「ゴム」は可撓性を有するものといえ、更に、「外殻」を有し、その内部には気体を封入され、外部のガス圧Ｐによる増加圧で圧縮されて体積が減少するような構造をしているのであるから、「球体」の「外殻」は「膜」と呼ぶにふさわしい程度の厚さのゴムで形成されているものといえる。
　よって、引用発明の「外殻ゴム状であって、適正圧で気体を封入する」は、本願補正発明の「可撓性のある膜で形成された外殻を有するとともに、その内部に気体が封入されて」に相当する。
　（５）また、引用発明の「球体は液面下に陥没浮遊している状態」であるから、「球体」の「外殻」は液体と接しているものといえ、更に、「液面上のガス圧Ｐによる増加圧で圧縮されて」とは、液面上のガス圧Ｐによる増加圧が液面下の液体の圧力の増加圧を介して球体に加わることを意味するから、球体には直接には液体の圧力が加えられるものといえる。
　よって、引用発明の「液面上のガス圧Ｐによる増加圧で圧縮されて」は、本願補正発明の「該外殻と接する上記液体の圧力に応じて」に相当する。
　（６）また、引用発明の「球体を陥没浮遊させるための球体の下部にとりつけられる調整錘」及び「球体の沈み過ぎを防止する球体の上部にとりつけられる適正径の円筒状浮き子棒」の構成から、引用発明では調整錘，球体，円筒状浮き子棒が、下からこの順番で相互に一体的であるといえる。ここで、「調整錘」は「球体を陥没浮遊させるための」重いものであり、これに対して「円筒状浮き子棒」は「沈み過ぎを防止する」ための軽いものであることから、調整錘，球体，円筒状浮き子棒の一体物は、液体浮遊すると共にその重心が下方に設定されているものといえる。そして、一般に、物体は液体中を浮遊する際にはその重心が下方に位置する状態で安定的であるといえる。そうであるならば、引用発明において調整錘，球体，円筒状浮き子棒の一体物の重心が下方に設定されていることは、「調整錘，球体，円筒状浮き子棒が、下からこの順番で立直した姿勢で浮遊」することに対して寄与しているものといえる。
　よって、引用発明の「球体を陥没浮遊させるための球体の下部にとりつけられる調整錘と、球体の沈み過ぎを防止する球体の上部にとりつけられる適正径の円筒状浮き子棒とを備え、容器内において、調整錘，球体，円筒状浮き子棒が、下からこの順番で立直した姿勢で浮遊し、」は、本願補正発明の「重心が下方に設定されることにより立直、乃至、略立直姿勢を保ちつつ」に相当する。
　なお、引用発明において調整錘，球体，円筒状浮き子棒の一体物が立直姿勢で浮遊しているのは、調整錘，球体，円筒状浮き子棒の一体物の重心が下方に設定されていることの他に、引用例の第１図に示されている案内盤１１等の補助的手段が寄与している可能性はあり得るものといえる。しかしながら、上述したように、引用発明において調整錘，球体，円筒状浮き子棒の一体物の重心が下方に設定されており、このことが立直姿勢で浮遊することに対して寄与していることは明らかな上に、本願補正発明においても、「立直、乃至、略立直姿勢」を保つための構成として、「重心が下方に設定されること」の他に何らかの補助的手段を用いる可能性は、本願補正発明の構成要件上は必ずしも排除されているとはいえない。したがって、本願補正発明と引用発明とでは、共に「立直、乃至、略立直姿勢」を保つために、重心が下方に設定されていることの他に、補助的手段を用いる可能性があり得る点において一致しているものといえる。
　（７）また、引用発明の「液面上のガス圧Ｐによる増加圧で球体は圧縮されて体積が減少し浮力も減少し球体は初期浮遊位置より沈むが、円筒状浮き子棒の浮力が球体の浮力の減少分と相殺して釣り合うところで沈みがとまり、」という構成から、引用発明は液面上のガス圧Ｐの圧力増加に伴って球体は圧縮されて体積が減少し浮力も減少し液体中に沈むものであるといえる。そして、引用発明において、液面上のガス圧Ｐは圧力増加だけではなく圧力減少することも当然にあり得るものといえるが、この場合には球体は膨張されて体積が増加し浮力も増加し液体中に浮き上がるものといえる。
　よって、引用発明の「液面上のガス圧Ｐによる増加圧で球体は圧縮されて体積が減少し浮力も減少し球体は初期浮遊位置より沈むが、円筒状浮き子棒の浮力が球体の浮力の減少分と相殺して釣り合うところで沈みがとまり、」は、本願補正発明の「上記容器内の圧力に伴って該液体中で浮沈するよう構成されており、」に相当する。
　（８−１）また、引用発明の「円筒状浮き子棒の円筒外面には液体のある液面位置に対して上下両方向にわたって示されている目盛りが示されており」及び「球体の沈み過ぎを防止する球体の上部にとりつけられる適正径の円筒状浮き子棒」の構成から、引用発明は、球体の上部に目盛りを備えているものといえる。ここで、「球体の上部」とは、球体自体の上部分という意味ではなく、球体の上面部分より更に上の部分，すなわち『球体の上面より上方』という意味である。
　そして、引用発明の「液面上のガス圧Ｐによる増加圧で球体は圧縮されて体積が減少し浮力も減少し球体は初期浮遊位置より沈むが、円筒状浮き子棒の浮力が球体の浮力の減少分と相殺して釣り合うところで沈みがとまり、この時の浮遊上下位置を目盛りから読み取ることによって液体上面にかかる気体圧Ｐを計測する」の構成から、引用発明の「目盛り」は圧力を計測するための手段であると共に、直接的には液体と接触することにより液面位置を検出するための手段であるといえる。
　したがって、引用発明は『球体の上面より上方には、円筒外面に、圧力を計測するための手段であると共に、直接的には液体と接触することにより液面位置を検出するための手段である、目盛りを備えている』といえる。
　これに対して、本願補正発明の「接触検出部」は、圧力を検出するための手段であると共に、直接的には液体と「接触することにより」「液体を検出」し液面位置を検出するための手段である。また、本願補正発明の「接触検出部」は「可変容積部の上面より上方に設けられて」いる。
　したがって、本願補正発明は『可変容積部の上面より上方には、圧力を検出するための手段であると共に、直接的には液体と接触することにより液体を検出し液面位置を検出するための手段である、接触検出部を備えている』といえる。
　よって、引用発明の「目盛り」は、本願補正発明の「接触検出部」と、接触することにより液面位置を検出する接触検出部である点で共通し、また、引用発明の『球体の上面より上方には、円筒外面に、圧力を計測するための手段であると共に、直接的には液体と接触することにより液面位置を検出するための手段である、目盛りを備えている』は、本願補正発明の「該可変容積部の上面より上方に設けられて、接触することにより上記液体を検出する接触検出部とを備え、」と、『可変容積部の上面より上方に設けられて、接触することにより液面位置を検出する接触検出部を備えている』点で共通している。
　（８−２）また、引用発明の「円筒状浮き子棒の円筒外面には液体のある液面位置に対して上下両方向にわたって示されている目盛りが示されており」の構成から、引用発明は、円筒状浮き子棒の円筒外面におけるある液面位置より上方向に付された上方の目盛り部分（以下「第一目盛り部分」という。）と、液面位置より下方向に付された第一目盛り部分より下方の目盛り部分（以下「第二目盛り部分」という。）を備えているものといえる。
　そして、引用発明の「第一目盛り部分」と「第二目盛り部分」は、「目盛り」と同様に、圧力を計測するための手段であると共に、直接的には液体と接触することにより液面位置を検出するための手段である。
　したがって、引用発明は『目盛りが、上方に設けられた第一目盛り部分と、第一目盛り部分より下方に設けられた第二目盛り部分を備えている』といえる。
　よって、引用発明の「第一目盛り部分」，「第二目盛り部分」は、本願補正発明の「第一接触検出部」，「第二接触検出部」に相当し、また、引用発明の『目盛りが、上方に設けられた第一目盛り部分と、第一目盛り部分より下方に設けられた第二目盛り部分を備えている』は、本願補正発明の「上記接触検出部が、上方に設けられた第一接触検出部と、該第一接触検出部よりも下方に設けられた第二接触検出部とを有し、」に相当する。
　（８−３）また、上記（８−２）での検討事項を踏まえれば、引用発明では、第一目盛り部分と第二目盛り部分とが、液体のある液面位置が第一目盛り部分と第二目盛り部分との間に位置するように構成されているといえる。
　また、引用発明の「初期浮遊位置」という構成について検討するに、「初期浮遊位置」とは初期状態における調整錘，球体，円筒状浮き子棒の一体物に対する液面の相対位置のことであり、この相対位置関係は、初期のガス圧Ｐによって決定されると共に、「調整錘の質量を調整することによって」も決定されるものである。この場合、引用発明では、調整錘の質量を調整する初期時点においては、この時点でのガス圧Ｐと初期浮遊位置における液面位置は認識されている必要があり（もし、この時点でガス圧Ｐと初期浮遊位置における液面位置は認識されていなければ、調整後の目盛りの読み取り値がどの圧力値に対応するのかが不明となるため、圧力計測に支障が生じることは明らかである。）、そして、これ以降は調整錘の質量の値は固定して、初期浮遊位置における液面位置に対する計測時の液面位置から、初期のガス圧Ｐに対する計測時のガス圧Ｐを検出するものといえる。
　とすれば、初期時点で認識されたガス圧Ｐはこれ以降のガス圧Ｐの基準となるのであるから予め設定された基準圧力であるといえ、また、初期時点で認識された初期浮遊位置における液面位置は、この時点で目盛りの読み取りが可能であるようにすると同時に、調整後の圧力増加と圧力減少の両方向の圧力変化に対応し得るようにするために、目盛りの範囲内（目盛りの最大値と最小値の範囲内）に収まるように，すなわち第一目盛り部分と第二目盛り部分との間に位置するように決定されるものといえる。
　したがって、引用発明は『第一目盛り部分と第二目盛り部分とが、容器内の圧力が予め設定した基準圧力となる場合において、容器内の液体の液面位置が第一目盛り部分と第二目盛り部分との間に位置するように構成されている』ものといえる。
　よって、引用発明の『第一目盛り部分と第二目盛り部分とが、容器内の圧力が予め設定した基準圧力となる場合において、容器内の液体の液面位置が第一目盛り部分と第二目盛り部分との間に位置するように構成されている』は、本願補正発明の「該第一接触検出部と第二接触検出部とが、上記容器内の圧力が予め設定した基準圧力となる場合において、該容器内の液体の液面が上記第一接触検出部と第二接触検出部との間に位置するように構成されるとともに」に相当する。
　（８−４）また、上記（７）で検討したとおり、引用発明は、容器内のガス圧Ｐが変化したときに球体の体積変化に伴う浮力の変化により沈み又は浮き上がるものである。ここで、「沈み又は浮き上がる」とは上下動することと技術的に同じ意味である。そして、第一目盛り部分と第二目盛り部分は、調整錘，球体，円筒状浮き子棒の一体物の円筒状浮き子棒の円筒外面に付されているものであるから、球体と共に同じく動作するものといえる。
　したがって、引用発明は『第一目盛り部分と第二目盛り部分は、容器内のガス圧Ｐが変化したときに球体の体積変化に伴う浮力の変化により上下動する』ものといえる。
　よって、引用発明の『第一目盛り部分と第二目盛り部分は、容器内のガス圧Ｐが変化したときに球体の体積変化に伴う浮力の変化により上下動する』は、本願補正発明の「該第一接触検出部と第二接触検出部とが、上記容器内の圧力が変化したときに上記可変容積部の容積変化に伴う浮力の変化により上下動して」に相当する。
　（８−５）また、上記（８−３）で検討したとおり、引用発明は『第一目盛り部分と第二目盛り部分とが、容器内の圧力が予め設定した基準圧力となる場合において、容器内の液体の液面位置が第一目盛り部分と第二目盛り部分との間に位置するように構成されている』ものである。
　そして、引用発明では、基準圧力よりも圧力が増加した場合には、「ガス圧Ｐによる増加圧で圧縮されて」球体の「体積が減少し浮力も減少し、初期浮遊位置より沈む」ものであり、この場合は、液面位置は目盛りの初期の位置から上方側へと移動するので、第一目盛り部分によって液面位置を読み取ることになり、逆に、基準圧力よりも圧力が減少した場合には、ガス圧Ｐによる減少圧で膨張されて球体の体積が増加し浮力も増加し、初期浮遊位置より浮き上がるものであり、この場合は、液面位置は目盛りの初期の位置から下方側へと移動するので、第二目盛り部分によって液面位置を読み取ることになる。
　また、一般に、目盛りは１目盛りが等間隔に刻まれており、１目盛りの間隔は、予め設定されるべき個々の測定に要求される最小検出量を考慮した所定値に応じて決定されるのが普通である。例えば、時間を測定する１周が１［分］を表す指針式の計時装置の場合、測定に要求される最小検出量が仮に１［秒］であるならば、これを考慮して所定値を１［秒］と予め設定し、これに応じて、１目盛りの間隔が３６０［度］×１［秒］／６０［秒］＝６［度］と決定され、目盛りは１目盛りが６［度］の等間隔に刻まれる。
　そうであるならば、引用発明の第一目盛り部分及び第二目盛り部分についても、１目盛りの間隔は、予め設定された最小検出量を考慮した所定値（以下、第一目盛り部分についての所定値を「第一所定値」、第二目盛り部分についての所定値を「第二所定値」という。）に応じて決定され、目盛りは１目盛りが決定された間隔で等間隔に刻まれているはずである。
　したがって、引用発明は、『第一目盛り部分と第二目盛り部分とが、容器内の圧力が基準圧力よりも予め設定された第一所定値以上増加した場合には第一目盛り部分の１目盛り分以上が初期浮遊位置より下に沈み、逆に、容器内の圧力が基準圧力よりも予め設定された第二所定値以上減少した場合には第二目盛り部分の１目盛り分以上が初期浮遊位置より上に浮き上がるように、刻まれている』ものといえる。
　よって、引用発明の『第一目盛り部分と第二目盛り部分とが、容器内の圧力が基準圧力よりも予め設定された第一所定値以上増加した場合には第一目盛り部分の１目盛り分以上が初期浮遊位置より下に沈み、逆に、容器内の圧力が基準圧力よりも予め設定された第二所定値以上減少した場合には第二目盛り部分の１目盛り分以上が初期浮遊位置より上に浮き上がるように、刻まれている』と、本願補正発明の「上記容器内の圧力が上記基準圧力よりも予め設定された第一所定値以上高くなった場合には上記第一接触検出部が液面より下に沈む一方、上記容器内の圧力が上記基準圧力よりも予め設定された第二所定値以上低くなった場合には上記第二接触検出部が液面より上に浮くように、配置されている」とは、共に『容器内の圧力が基準圧力よりも予め設定された第一所定値以上高くなった場合には第一接触検出部が沈む一方、容器内の圧力が基準圧力よりも予め設定された第二所定値以上低くなった場合には第二接触検出部が上に浮く』点で共通している。
　
　したがって、両者は、
《一致点》
『液体中に浮遊して、該液体を貯留した密閉容器内の圧力を検出する圧力検出装置において、
　可撓性のある膜で形成された外殻を有するとともに、その内部に気体が封入されて、該外殻と接する上記液体の圧力に応じて容積が変化する可変容積部と、
　該可変容積部の上面より上方に設けられて、接触することにより液面位置を検出する接触検出部とを備え、
　重心が下方に設定されることにより立直、乃至、略立直姿勢を保ちつつ、上記容器内の圧力に伴って該液体中で浮沈するよう構成されており、
　上記接触検出部が、上方に設けられた第一接触検出部と、該第一接触検出部よりも下方に設けられた第二接触検出部とを有し、
　該第一接触検出部と第二接触検出部とが、上記容器内の圧力が予め設定した基準圧力となる場合において、該容器内の液体の液面が上記第一接触検出部と第二接触検出部との間に位置するように構成されるとともに、
　該第一接触検出部と第二接触検出部とが、上記容器内の圧力が変化したときに上記可変容積部の容積変化に伴う浮力の変化により上下動して、上記容器内の圧力が上記基準圧力よりも予め設定された第一所定値以上高くなった場合には上記第一接触検出部が沈む一方、上記容器内の圧力が上記基準圧力よりも予め設定された第二所定値以上低くなった場合には上記第二接触検出部が浮く、圧力検出装置。』である点で一致し、以下の点で相違している。
　
《相違点１》
　接触することにより液面位置を検出する接触検出部に関して、
　本願補正発明では、「液体を検出」して行うのに対して、
　引用発明では液体を検出せずに行う点。
　
《相違点２》
　容器内の圧力が基準圧力よりも予め設定された第一所定値以上高くなった場合には第一接触検出部が沈む一方、容器内の圧力が基準圧力よりも予め設定された第二所定値以上低くなった場合には第二接触検出部が上に浮く点に関して、
　本願補正発明では、「第一接触検出部と第二接触検出部とが、」「第一接触検出部が液面より下に沈み」、「第二接触検出部が液面より上に浮くように、配置されている」のに対して、
　引用発明では『第一接触検出部と第二接触検出部とが、第一接触検出部が１目盛り分以上初期浮遊位置より下に沈み、第二接触検出部が１目盛り分以上初期浮遊位置より上に浮くように、刻まれている』点。
　
　
４．判断
　以下、上記相違点について検討する。
　まず、上記相違点１について検討するに、『接触することにより液体を検出し液面位置を検出する接触検出部を備えた液面位置検出手段』は、例えば、原査定の拒絶の理由において引用された実公昭６２−１２２６１号公報（主に１頁左列１４〜２１行，第２図参照。第２図の電極スイッチ７’ は接触することにより液体を検出し液面位置を検出する接触検出部である。）の他，特開平５−３３２８０９号公報（主に【００２２】〜【００２９】，【図１】，【図２】参照。「上部電極２ａ」，「下部電極２ｂ」は接触することにより液体を検出し液面位置を検出する接触検出部である。），及び特開昭５１−９６３４７号公報（主に１頁左下欄４〜９行，２頁左下欄５〜１２行，第１〜４図参照。）に記載されているように、周知の液面位置検出技術である。
　また、引用発明は液面位置を検出することによって圧力を検出するものであるから、液面位置検出の課題や機能を有するものといえる。とすれば、当業者が引用発明に周知の液面位置検出技術を適用することに格別の困難性を有するものとは認められない。
　よって、引用発明に上記周知技術を適用して、『接触することにより液体を検出せずに液面位置を検出する接触検出部』を、『接触することにより液体を検出し液面位置を検出する接触検出部』に置き換えることは、当業者において容易に想到し得るものと認められる。
　
　次に、上記相違点２について検討するに、『第一接触検出部と第二接触検出部とが、第一接触検出部が液面より下に沈み、第二接触検出部が液面より上に浮くように、配置される、液面位置検出手段』は、例えば、原査定の拒絶の理由において引用された実公昭６２−１２２６１号公報（主に１頁左列１４〜２１行，第２図参照。第２図の上の電極スイッチ７’は「第一接触検出部」に，下の電極スイッチ７’は「第二接触検出部」にそれぞれ相当する。）の他，特開平５−３３２８０９号公報（主に【００２２】〜【００２９】，【図１】，【図２】参照。「上部電極２ａ」は「第一接触検出部」に，「下部電極２ｂ」は「第二接触検出部」にそれぞれ相当する。），及び特開昭５１−９６３４７号公報（主に１頁左下欄４〜９行，２頁左下欄５〜１２行，第１〜４図参照。）に記載されているように、周知の液面位置検出技術である。
　また、引用発明は液面位置を検出することによって圧力を検出するものであるから、液面位置検出の課題や機能を有するものといえる。とすれば、当業者が引用発明に周知の液面位置検出技術を適用することに格別の困難性を有するものとは認められない。
　よって、引用発明に上記周知技術を適用して、『第一接触検出部と第二接触検出部とが、第一接触検出部が１目盛り分以上初期浮遊位置より下に沈み、第二接触検出部が１目盛り分以上初期浮遊位置より上に浮くように、刻まれている』点を、『第一接触検出部と第二接触検出部とが、第一接触検出部が液面より下に沈み、第二接触検出部が液面より上に浮くように、配置されている』点に置き換えることは、当業者において容易に想到し得るものと認められる。
　
　そして、本願補正発明の奏する効果も引用発明及び周知技術から当業者が容易に予測し得る範囲内のものにすぎない。
　
　したがって、本願補正発明は、引用発明及び周知技術に基いて、当業者が容易に発明をすることができたものであるから、特許法第２９条第２項の規定により特許出願の際独立して特許を受けることができない。
　
　
５．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、特許法第１５９条第１項において読み替えて準用する同法第５３条第１項の規定により却下すべきものである。
　
　
第３．本願発明について
１．本願発明の認定
　本件補正は上記のとおり却下されたので、本願の請求項１乃至４に係る発明は、平成１８年１０月２４日付け手続補正書の特許請求の範囲の請求項１乃至４に記載されたとおりのものであるところ、請求項１乃至３を引用した請求項４に係る発明（以下「本願発明」という。）は、上記手続補正書の特許請求の範囲の請求項１乃至４に記載される事項により特定される、以下のとおりのものである。
　
「【請求項１】
　液体中に浮遊して、該液体を貯留した密閉容器内の圧力を検出する圧力検出装置において、
　可撓性のある膜で形成された外殻を有するとともに、その内部に気体が封入されて、該外殻と接する上記液体の圧力に応じて容積が変化する可変容積部と、
　該可変容積部の上面より上方に設けられて、接触することにより上記液体を検出する接触検出部とを備え、
　重心が下方に設定されることにより立直、乃至、略立直姿勢を保ちつつ、
　上記容器内の圧力に伴って該液体中で浮沈するよう構成されていることを特徴とする圧力検出装置。
【請求項２】
　上記可変容積部が、該可変容積部内に封入される気体の量を調整できる気体調整部を備えることを特徴とする請求項１記載の圧力検出装置。
【請求項３】
　上記可変容積部の重心が下方に位置するように形成されるとともに、該可変容積部から上方に延びる支柱を備え、上記接触検出部が該支柱に設けられていることを特徴とする請求項１または２記載の圧力検出装置。
【請求項４】
　上記接触検出部が、上方に設けられた第一接触検出部と、該第一接触検出部よりも下方に設けられた第二接触検出部とを備え、該第一接触検出部と第二接触検出部とが、上記容器内の圧力が予め設定した基準圧力となる場合において、該液体の液面が上記第一接触検出部と第二接触検出部との間に位置するように構成されており、
　該第一接触検出部と上記第二接触検出部とが、上記容器内の圧力が上記基準圧力に対して変化するのに伴って上記液体の液面に対して浮沈することを特徴とする請求項１〜３のいずれかに記載の圧力検出装置。」
　
　
２．引用例の記載事項及び引用例に記載された発明
　上記「第２．」，「２．」のとおりである。
　
　
３．対比・判断
　まず、本願発明と本願補正発明との関係について検討する。
　本願発明と本願補正発明は以下の（１）乃至（６）の点で相違している。
　（１）本願発明は引用形式であって補正前の請求項１乃至３を引用しているが、本願補正発明は補正前の請求項１のみを引用した上で独立形式である点。
　（２）本願発明は「第二接触検出部とを備え」の構成を有するが、本願補正発明は「第二接触検出部とを有し」の構成を有する点。
　（３）本願発明は「該液体の液面が」の構成を有するが、本願補正発明は「該容器内の液体の液面が」の構成を有する点。
　（４）本願発明は「構成されており」の構成を有するが、本願補正発明は「構成されるとともに」の構成を有する点。
　（５）本願発明は「上記第二接触検出部とが」の構成を有するが、本願補正発明は「第二接触検出部とが」の構成を有する点。
　（６）本願発明は「第一接触検出部と」「第二接触検出部とが、容器内の圧力が」「基準圧力に対して変化するのに伴って」「液体の液面に対して浮沈する」の構成を有するが、本願補正発明は「第一接触検出部と第二接触検出部とが、」「容器内の圧力が変化したときに」「可変容積部の容積変化に伴う浮力の変化により上下動して、」「容器内の圧力が」「基準圧力よりも予め設定された第一所定値以上高くなった場合には」「第一接触検出部が液面より下に沈む一方、」「容器内の圧力が」「基準圧力よりも予め設定された第二所定値以上低くなった場合には」「第二接触検出部が液面より上に浮くように、配置されている」の構成を有する点。
　
　以下、上記（１）乃至（６）の相違点について順次検討する。
　まず、（１）は本願発明の択一的記載の要素の一部を削除したものが本願補正発明であるから、この点においては、本願発明は本願補正発明を上位概念化したものといえる。
　また、（２），（４），（５）は、内容の実質的な変更を伴うものではないから、この点においては、本願発明は本願補正発明と実質的には相違しない。
　また、（３）は、本願発明の「該液体の液面が」は、本願補正発明の「該容器内の液体の液面が」に対して上位概念化されたものであるといえる。
　また、（６）について、本願発明の「液体の液面に対して浮沈」と本願補正発明の「上下動」の技術的意味は実質的に等しいものといえ、また、本願補正発明においても本願発明と同様に、容器内の圧力の変化が基準圧力に対する変化であることは明らかであり、さらに、本願発明においても、第一接触検出部と第二接触検出部とが配置されていることは明らかである。
　よって、（６）は、本願発明の『第一接触検出部と第二接触検出部とが、容器内の圧力が基準圧力に対して変化するのに伴って上下動するように配置されている』は、本願補正発明の『第一接触検出部と第二接触検出部とが、容器内の圧力が基準圧力に対して変化するのに伴って可変容積部の容積変化に伴う浮力の変化により上下動して、容器内の圧力が基準圧力よりも予め設定された第一所定値以上高くなった場合には第一接触検出部が液面より下に沈む一方、容器内の圧力が基準圧力よりも予め設定された第二所定値以上低くなった場合には第二接触検出部が液面より上に浮くように、配置されている』に対して上位概念化されたものであるといえる。
　したがって、本願発明は本願補正発明を上位概念化したものであると認められる。
　
　そうすると、本願発明の発明特定事項を全て含む本願補正発明が、上記「第２．」で検討したとおり、引用発明及び周知技術に基づいて、当業者が容易に発明をすることができたものであるから、本願発明も同様の理由により、引用発明及び周知技術に基づいて、当業者が容易に発明をすることができたものである。
　
　
４．むすび
　以上のとおり、本願発明は、引用発明及び周知技術に基づいて、当業者が容易に発明をすることができたものであるから、特許法第２９条第２項の規定により特許を受けることができない。
　したがって、他の請求項に係る発明については論及するまでもなく、本願は拒絶すべきものである。
　よって、結論のとおり審決する。